(57)【特許請求の範囲】
【請求項１】
梁の外側に配置された金具本体が、その金具本体裏面より突出する取付け部において梁へ固定されるとともに、その梁よりも下方に突出する前記金具本体の下端に内向きの支持片が突設され、この支持片に差し込んだ上下方向の支持ボルトで、外壁パネル上端を支持し、且つ、前記金具本体の上端で前記外壁パネルの上方に配置される外壁パネル下端を振れ止め支持するとともに、それら上下のパネル間に埋め込みパネルを配置して、その埋め込みパネルを外側からボルトで前記金具本体へ固定することを特徴とする外壁パネルの支持構造。
【請求項２】
前記金具本体の外側に突出して設けたボルトを、前記埋め込みパネルのボルト穴へ差し込んで、そのボルトへ外側から螺合したナットで埋め込みパネルを固定してなることを特徴とする請求項１記載の外壁パネルの支持構造。
【請求項３】
前記埋め込みパネルはパネル本体の外側面にタイルを張り付けたタイルパネルであって、前記金具本体のボルトが挿入されるボルト穴周辺部がタイルを張り付けられていない凹所となっており、この凹所内へ前記ナットの締め付け後にタイル若しくはタイルを張り付けたはめ込み板をはめ込むこととされている請求項２記載の外壁パネルの支持構造。
【発明の詳細な説明】
【０００１】
【発明の属する技術分野】
この発明は、カーテンウォールを構成する外壁パネルの支持構造に関するものである。
【０００２】
【従来の技術】
カーテンウォールを構成する外壁パネルの支持は、一般に梁の上に支持金具を取り付け、この支持金具の外側の端部部分でパネルを吊り下げ支持することが行われている。例えば、この出願人が先に出願した特開平６−１２３１４４号公報には、梁の上面に支持プレートを垂直方向のボルトとナットで固定し、その支持プレートの先端部分に差し込んだ上下方向のボルトで、外壁パネルを吊り下げるようにしたものが開示されている。
【０００３】
【発明が解決しようとする課題】
上記のように予め外壁パネル上端の裏面に取り付けた支持金具を梁の上にボルト及びナットで固定する構造のものにおいては、この部分に柱が位置していると、内側からの作業が極めて困難な場合がある。例えば、柱がＨ形鋼であって、その柱の下端のエンドプレートが梁の上面にボルト及びナットで固定されている場合、それらのボルトナットが邪魔になるのみならず、柱のフランジと外壁パネル裏面との隙間から手を差し込んで支持金具の取り付け作業を行うことはほとんど不可能である。
【０００４】
この発明は、このような従来の欠点を解消して、外壁パネルの取り付け作業を全て外側から行い得るようにした外壁パネルの支持構造を提供することを目的としてなされたものである。
【０００５】
【課題を解決するための手段】
上記の課題を解決するため、この発明では、第１に、梁の外側に配置された金具本体が、その金具本体裏面より突出する取付け部において梁へ固定される。
【０００６】
そして、この構成において、前記の梁よりも下方に突出する前記金具本体の下端に内向きの支持片が突設され、この支持片に差し込んだ上下方向の支持ボルトで、外壁パネル上端を支持し、且つ、前記金具本体の上端で前記外壁パネルの上方に配置される外壁パネル下端を振れ止め支持するとともに、それら上下のパネル間に埋め込みパネルを配置して、その埋め込みパネルを外側からボルトで前記金具本体へ固定することを特徴とする。
【０００７】
更に、前記埋め込みパネルの取り付けに際して、前記金具本体の外側に突出して設けたボルトを、前記埋め込みパネルのボルト穴へ差し込んで、そのボルトへ外側から螺合したナットで埋め込みパネルを固定してなる。
【０００８】
加えて、埋め込みパネルはパネル本体の外側面にタイルを張り付けたタイルパネルであって、前記金具本体のボルトが挿入されるボルト穴周辺部がタイルを張り付けられていない凹所となっており、この凹所内へ前記ナットの締め付け後にタイル若しくはタイルを張り付けたはめ込み板をはめ込むこととされている。
【０００９】
【発明の実施の形態】
図において、（１）はＨ形鋼からなる梁であり、この梁（１）の上面に、同じくＨ形鋼からなる柱（２）が、そのウェブの部分が壁面方向と同じ方向となるようにして設置されている。この梁（２）の下端部分にエンドプレート（３）が予め溶接されており、このエンドプレート（３）を梁（１）の上部フランジ（５）上面へ載置して、ボルト（６）によって固定されている。他方、梁（１）の下端は、その下部フランジ（７）を同じくＨ形鋼からなる柱（２）の上端のエンドプレートへ載置してボルト（６）によって固定している。
【００１０】
(10)はこの発明の支持金具であり、垂直板状の金具本体(11)の上端部近傍と下端部近傍部分に、内方に突出する一対の取り付け片(12)(13)が一体に水平に突出している。金具本体(11)の下端には、その下端部を内方に水平に折り曲げた支持プレート(14)が一体に形成されており、この支持プレート(14)は、図１で示すように、金具本体(11)に対して左右方向に突出している。また、金具本体(11)の外側には、水平外方向に突出するようにして、４本のパネル受けボルト(15)(15)…が予め一体に取り付けられている。
【００１１】
（１６）は、Ｌ字形のパネル金具であって、その垂直片（１７）が、同じくその垂直片（１７）へ内側から差し込んだボルト（１８）を、コンクリート板からなる外壁パネル（１９）上端裏面のインサートナット（２０）へねじ込んで（図２）、その外壁パネル（１９）へ予め固定するようになっている。（２１）はこの外壁パネル（１９）を吊り下げ支持するための支持ボルトであって、パネル金具（１６）上端の水平片（２２）へ、下側から差し込んで取り付けるようにしてある。他方、金具本体（１１）の上端部分には、図１のように上端側に開放された左右一対のスリット（２３）が形成されている。
【００１２】
（２５）は、前記金具本体（１１）の上下方向の長さよりも僅かに小さい上下幅を備えたこの発明の埋め込みパネルであって、コンクリート板或いはその他の素材からなる下地板（２６）の外側面に、多数のタイル（２７）を張り付けたタイルパネルからなるものである。この埋め込みパネル（２５）は、前記金具本体（１１）より外方に突出するパネル受けボルト（１５）へ取り付けられるものであるが、このボルト（１５）（１５）…の位置に対応してボルト穴（２８）が形成されるとともに、このボルト穴（２８）の外側に対応して、前記下地板（２６）の外側に複数枚のタイル（２７）を取り除いた凹所（２９）が形成されている。
【００１３】
（３１）はその埋め込みパネル（２５）よりも上部側に設置される別の外壁パネルであって、その下端に形成した裏面の溝（３２）へ基板（３３）を挿入して、ピン（３４）が裏面側に突出して取り付けられている。
【００１４】
上記外壁パネル（１９）（３１）及び埋め込みパネル（２５）の取付けを以下その施工順に従って説明する。
【００１５】
まず、前記のように梁（１）と柱（２）が位置している部分において、支持金具（１０）を、梁（１）の外側から、裏面における上部側の取り付け片（１２）が上部フランジ（５）の上面に位置し、下側の取り付け片（１３）が同じく下部フランジ（７）の下面に位置するようにして設置する。このとき、柱（２）のエンドプレート（３）はその幅方向の中央部分が切欠（３３）されており、この切欠部（３３）部分に各取り付け片（１３）（１２）を設置する。このようにして取り付け片（１３）（１２）を設置して、それら取り付け片（１２）（１３）に形成したボルト穴（３５）と各フランジ（５）（７）のボルト穴（３６）へボルト（３７）を差し込んで、ナット（３８）を締め付けてこれら取り付け片（１３）（１２）を梁（１）へ固定して支持金具（１０）を取り付ける。このとき、ボルト穴（３５）は内外方向に長穴となっており、その範囲で内外の出入りを調節する。
【００１６】
上記のようにして支持金具（１０）を取り付けた後、下側の外壁パネル（１９）を、その裏面に予め前記のボルト（４０）を備えたパネル金具（１６）を取り付けておいて、金具本体（１１）下端の支持片（１４）に形成されたボルト穴（３９）へ下側からボルト（４０）を差し込んで、支持片（１４）上面側においてナット（４１）を螺合して、この下側の外壁パネル（１９）を吊り下げ支持するものである。このとき、ナット（４１）のねじ込み量を加減することによって外壁パネル（１９）上端のレベル調整を行うことができる。なお、パネル金具（１６）の支持ボルト（２１）は、支持片（１４）のボルト穴（３９）内で上下に移動可能であり、この範囲で地震時の層間変形に追従することができる。
【００１７】
上記のようにして、下側の外壁パネル（１９）を取り付けた後、上部側の外壁パネル（３１）及び埋め込みパネル（２５）を設置するが、その施工順はどちらでも良い。ここでは、先に埋め込みパネル（２５）を取り付ける場合を説明する。まず、埋め込みパネル（２５）は、その下地板（２６）に形成したボルト穴（２８）へ、金具本体（１０）外側面のパネル受けボルト（１５）を挿入するようにして設置し、前記溝（２９）内において、そのボルト（１５）の先端部分へナット（４３）を螺合して締め付け固定する。そして、この埋め込みパネル（２５）の取り付け後に、前記溝（２９）へ別のタイル（２７）を張り付けたはめ込み板（４２）をはめ込んで張り付けてこの部分を塞ぐものである。
【００１８】
上部側の外壁パネル（３１）は、前記下側の外壁パネル（１９）と同様にして、その上端を上方の梁（図示せず）へ取り付けられるが、下端裏面に突出させたピン（３４）を、前記金具本体（１１）を支持金具（１０）上端のスリット（３）へ上方から係合させて座金（４４）、ナット（４５）で締めることで、左右方向に揺動しないよう振れ止支持するものである。
【００１９】
上記において、外壁パネル（１９）（３１）は、コンクリート板からなり、埋め込みパネル（２５）はタイル張りパネルからなるが、このように上下の外壁パネル（１９）（３１）間に外観の異なるパネルを用いることによって、外壁面にアクセント的な効果を持たせることができる。
【００２０】
【発明の効果】
以上のようにこの発明によれば、梁へ取り付けられる金具本体の下端にその梁よりも下側において支持片が設けられており、この支持片に差し込んだ上下方向の支持ボルトでパネルの上端部分を支持するようにしており、従って、まず、支持金具自体は、梁の外側から他の部材に妨げられることなく取り付け作業を行うことができるとともに、この支持金具へのパネルの取り付けも梁の下側において、その外壁パネルの上端側の空間部分を介して外側から作業を行うことができる。
【００２１】
更に、支持金具の外側面に取り付けられる埋め込みパネルも同様にしてボルトによって外側から取り付けることができるから、全ての作業を外側から行うことができ、そのためパネルの取り付け部分に柱等があって、内側からの取り付け作業ができない場合であっても、外側から容易に取り付けることができるという効果がある。
【図面の簡単な説明】
【図１】この発明のパネルの取り付け部分の構造を分解して示す要部の斜視図である。
【図２】同じく外壁パネルと埋め込みパネルの取り付け部分の要部縦断面図である。
【符号の説明】
（１）  梁
（１０）  パネル支持金具
（１１）  金具本体
（１２）（１３）  取り付け片
（１４）  支持片
（１５）  パネル受けボルト
（１６）  パネル金具
（２１）  支持ボルト
（２５）  埋め込みパネル
（２９）  凹所
（４３）  はめ込み板
【図１】
0003555715.tif 000002
【図２】
0003555715.tif 000003